(57)【要約】【課題】低ランニングコストを実現するとともに、使用性を高める輻射暖房装置を提供することを目的とする。【解決手段】熱線および可視光線を発するエネルギー放出手段９と、前記熱線を透過放出するとともに、前記放出される熱線に対向する方向からの可視光線を反射する特性を有する輻射部１２とからなるもので、顔面に対して、熱線（赤外線）を輻射することが可能である。また、温水循環等を必要とせず、輻射エネルギーおよび輻射部を透過する際のエネルギーロスによる自己発熱により、鏡面の曇りを防止することが可能となるため、低ランニングコストを実現できる。【選択図】図１
2005337513.tif 000002
【特許請求の範囲】
【請求項１】
熱線および可視光線を発するエネルギー放出手段と、前記熱線を透過放出するとともに、前記放出される熱線に対向する方向からの可視光線を反射する特性を有する輻射部とからなる輻射暖房装置。
【請求項２】
エネルギー放出手段が発する熱線および可視光線の下流側に輻射部を有し、前記輻射部は、前記エネルギー放出手段が発する熱線および可視光線を透過放出する特性を有する請求項１記載の輻射暖房装置。
【請求項３】
エネルギー放出手段が発する熱線が、輻射部内部で屈折することにより、前記輻射部より前記熱線を放出する構成とした請求項１記載の輻射暖房装置。
【請求項４】
エネルギー放出手段が発する熱線の下流側に輻射部を有し、前記輻射部は、前記熱線を反射する部分と、前記熱線を透過するとともに、前記放出される熱線に対向する可視光線を反射する部分とからなる請求項３記載の輻射暖房装置。
【発明の詳細な説明】
【技術分野】
【０００１】
本発明は、輻射暖房装置に関するものである。
【背景技術】
【０００２】
従来、たとえばこの種の鏡面装置における暖房機能は、温風熱や温水熱により鏡面を過熱したり、温風熱で人体への暖房を実現している。
【０００３】
図５は、従来の温風装置具備した洗面用鏡台を示すものである。図５に示すように、洗面台１と、鏡台２と、温風吹出口３を具備している温風暖房器３とから構成されている。
【０００４】
また、図６に示すような、浴室内の鏡面における曇り止め防止として、鏡面５と、温水ボイラー６、温水搬送パイプ７と、鏡面５へ温水をかける排水口８とから構成されている（例えば、特許文献１、特許文献２参照）。
【特許文献１】特開２０００−１０７０５３号公報
【特許文献２】特開平８−１８７１４６号公報
【発明の開示】
【発明が解決しようとする課題】
【０００５】
しかしながら、前記従来の構成では、室内の空気を吸気し、温風暖房機３により加温し、頭上より吹出す構成であるので、運転開始から温風が吹出すまでの時間を必要とし、低温時には寒感を感じるといった課題や、頭上から温風が吹出すために髪が乱れたり、顔などの皮膚が必要以上に乾燥するといった課題を有していた。
【０００６】
また、図６に示すように、鏡面の曇り止め装置においては、装置が大掛かりになり設置工事を要するとともに、必要とするときには常に温水を循環させる必要があり、くもり止めのために温水エネルギーを廃棄するといった、省エネルギーに反するといった課題を有していた。
【０００７】
本発明は、前記従来の課題を解決するもので、低ランニングコストを実現するとともに、使用性を高める輻射暖房装置を提供することを目的とする。
【課題を解決するための手段】
【０００８】
前記従来の課題を解決するために、本発明の輻射暖房装置は、熱線および可視光線を発するエネルギー放出手段と、前記熱線を透過放出するとともに、前記放出される熱線に対向する方向からの可視光線を反射する特性を有する輻射部とからなるもので、可視光線を反射するために、例えば、一見反射鏡面に見える鏡においても、顔面に対して熱線（赤外線）を輻射することが可能である。
【０００９】
また、低気温時においては、顔面に対する赤外線輻射により、立ち上がりが迅速かつ快適な暖房感を得られる。また従来例におけるような頭上からの温風暖房は異なり、温風を感じさせなくかつ髪を乱さないなどの利点を有している。また、温水循環等を必要とせず、からの輻射エネルギーおよび輻射部を透過する際のエネルギーロスによる自己発熱により、鏡面の曇りを防止することが可能となるため、低ランニングコストを実現できる。
【発明の効果】
【００１０】
本発明によれば、低ランニングコストを実現するとともに、使用性を高める輻射暖房鏡面装置を提供できる。
【発明を実施するための最良の形態】
【００１１】
第１の発明は、熱線および可視光線を発するエネルギー放出手段と、前記熱線を透過放出するとともに、前記放出される熱線に対向する方向からの可視光線を反射する特性を有する輻射部とからなるもので、可視光線を反射するために、例えば、一見反射鏡面に見える鏡においても、顔面に対して熱線（赤外線）を輻射することが可能となる。
【００１２】
そのため、低気温時においては、顔面に対する赤外線輻射により、立ち上がりが迅速かつ快適な暖房感を得られ、さらには、頭上からの温風暖房は異なり、温風を感じさせなくかつ髪を乱さない、しかも、エネルギー放出手段からの輻射エネルギーおよび鏡面（光学フィルター）を透過する際のエネルギーロスによる自己発熱により、鏡面の曇りを防止することができる。
【００１３】
第２の発明は、エネルギー放出手段が発する熱線および可視光線の下流側に輻射部を有し、前記輻射部は、前記エネルギー放出手段が発する熱線および可視光線を透過放出する特性を有するもので、輻射部の上面や側面からの照明効果ではなく、前面からの照明により、顔面への適切な照明が実現できることになり、視認性を向上することができる。
【００１４】
第３の発明は、エネルギー放出手段が発する熱線が、輻射部内部で屈折することにより、前記輻射部より前記熱線を放出する構成としたもので、ほぼ、輻射部前面から輻射することが可能となり、奥行き厚さの薄い輻射暖房装置を実現でき、小型・簡易設置が可能とすることができる。
【００１５】
第４の発明は、エネルギー放出手段が発する熱線の下流側に輻射部を有し、前記輻射部は、前記熱線を反射する部分と、前記熱線を透過するとともに、前記放出される熱線に対向する可視光線を反射する部分とからなるもので、エネルギー放出手段が発する熱線が、輻射部内部で損失なく屈折できる。
【００１６】
以下、本発明の実施の形態について、図面を参照しながら説明する。なお、この実施の形態によって本発明が限定されるものではない。
【００１７】
（実施の形態１）
図１は、本発明の第１の実施の形態における輻射暖房鏡面装置における主要部の構成図を示すものである。
【００１８】
図１において、エネルギー放出手段９は、たとえば、赤外線の発光効率の高い白熱電球などであり、電源回路（図示せず）と接続手段１０により電気的に接続されたものであり、立体的な出力反射部である反射鏡面１１と、有機的に関連してエネルギー放出手段を構成している。また、およそ赤外線の進行方向の下流側には、輻射部である鏡面１２が構成されており、この鏡面１２は、前記エネルギー放出手段９からの発進方向へは赤外線および可視光線を透過する特性を有し、前記エネルギー放出手段９から発せられた赤外線および可視光線に対向する可視光線においては反射する鏡面の処理、たとえばコーティング膜を形成している。
【００１９】
以上のように構成された輻射暖房鏡面装置について、以下その動作、作用を説明する。
【００２０】
まず、エネルギー放出手段９からの放出エネルギーは、直接および立体的な反射鏡面１１に反射されて、鏡面１２を軌跡１３ａのように透過する。一方、鏡面１２の前記放出エネルギーの放出方向に対向する可視光線（すなわち、人物や背景画像に相当する）は、軌跡１３ｂにように鏡面１２により反射されるものである。
【００２１】
以上のように、本実施の形態においてはエネルギー放出手段９を、透過波長および透過方向性を持たせた鏡面１２の背面に配設することにより、たとえば、鏡面の前面に立った人の顔には、其の鏡像（通常鏡）となるばかりでなく、鏡面９を透過して赤外線（熱線）が透過することとなり、ほぼ顔面に対して暖房感を与えることができ、また、透過波長をより選択的にすることにより、いわゆる成長光線（人体の皮膚において透過しやすい赤外線波長）を強化することができ、顔面の血行促進に寄与することができる。
【００２２】
また、本発明の輻射暖房鏡面装置は、光学フィルター（鏡面）における光学フィルターの可視光線と赤外線（熱線）との透過特性を選択的に設定することにより、光学フィルター（鏡面）を透過して、顔面や眼部に入射するいわゆる「まぶしさ」を選択することが可能である。これによって、上面や側面からの照明にありがちな影を顔面に作らることもなく、また顔面への輻射暖房感を「まぶしさ」なく効果的に実現することが可能となる。
【００２３】
図２に、この輻射暖房鏡面装置を具備した、いわゆる洗面台の外観図を示す。同図から明らかなように、従来例のような特別の暖房装置や曇り止め加温手段を必要としない。
【００２４】
以上より明らかなように、本実施の形態では、従来構成の同種の輻射暖房鏡面装置と比べて、小型・簡易設置が可能でかつ特別な工事は不要であり、また、特に顔面における快適な暖房感を得られ血行促進に寄与し、また、温風を感じさせなく髪を乱さない、さらに、立ち上がりが迅速であり、また、鏡面曇り防止が同時に可能で、また、部屋全体を加温することがないために省エネルギーなどの特徴を有しているものである。
【００２５】
また、本実施の形態の図３に示すようにエネルギー放出手段９を鏡面１２の反長手方向の端面に対向するように設け、反射板１５を介して鏡面１２へエネルギーを導くことにより、より奥行き方向を小型化できるとともに、鏡面１２におけるエネルギー分布をより均一化できるものである。特に鏡面１２は、図４に示すような３層構造とすることより効果が得られるものである。
【００２６】
図４において、１６は心材部である可視光線も赤外線をも損失なく透過するようなガラス（たとえば石英ガラス）であり、１７は、赤外線と可視光線をロスなく透過しかつ同図における左面からの可視光線を効率よく反射する選択的な光学コーティング膜であり、１８は可視光線および赤外線ともに効率よく反射するコーティング膜である。特に、エネルギー放出手段９からのエネルギーが効率よく鏡面１２内部を反射・屈折ことにより、鏡面１２全体からの値寝るぎー放出が可能となり、より小型化・前面の温度むらや快適性を向上することができる。
【産業上の利用可能性】
【００２７】
以上のように、本発明にかかる輻射暖房装置は、赤外線輻射機能をもつ洗面用鏡台ばかりでなく、浴室用鏡面やいわゆる玄関先に設置されることの多い姿見などの鏡面装置等の用途にも適用できる。
【図面の簡単な説明】
【００２８】
【図１】本発明の実施の形態１におけるの輻射暖房鏡面装置のエネルギー放出構成図
【図２】同輻射暖房鏡面装置を具備した洗面台の構成図
【図３】本発明の実施の形態２におけるの輻射暖房鏡面装置のエネルギー放出構成図
【図４】同輻射暖房鏡面装置の鏡面部の構成図
【図５】従来の暖房鏡面装置の外観構成図
【図６】同浴室における鏡面装置の曇り止め構成図
【符号の説明】
【００２９】
９  エネルギー放出手段（ランプなど）
１１  輻射部
【図１】
2005337513.tif 000003
【図２】
2005337513.tif 000004
【図３】
2005337513.tif 000005
【図４】
2005337513.tif 000006
【図５】
2005337513.tif 000007
【図６】
2005337513.tif 000008